(57)【要約】【課題】被切断物の切断時に被切断物に対する刃体の切断角度を安定させることができると共に、被切断物における切断後の被切断箇所の表面形状が粗雑となることを抑制することができる鋏を提供することにある。【解決手段】鋏１１は一対の鋏片１２より構成され、各鋏片１２はそれぞれ刃体１３と柄部１４と連結部１５を備えている。各鋏片１２は、連結部１５で軸芯１６により、互いに開閉可能に支持されている。鋏１１は、両鋏片１２が閉じた状態における各刃体１３を含む仮想面と、両鋏片１２を開閉動作させる際の両柄部１４の動作軌跡を含む仮想面とが略垂直に交差する。両鋏片１２を開閉動作させる際の、両刃体１３の動作軌跡を含む仮想面と、両柄部１４の動作軌跡を含む仮想面とが略同一仮想面となる。【選択図】      図３
2004313331.tif 000002
【特許請求の範囲】
【請求項１】
柄部と略板状をなす刃体を有する一対の鋏片を軸芯により互いに開閉可能に支持して構成し、両刃体を摺動させて被切断物を切断する鋏であって、両鋏片が閉じた状態における各刃体を含む仮想面と前記両鋏片を開閉動作させる際の両柄部の動作軌跡を含む仮想面とが交差し、且つ前記両鋏片を開閉動作させる際の両刃体の動作軌跡を含む仮想面と前記両柄部の動作軌跡を含む仮想面とが同一仮想面又は平行となる鋏。
【請求項２】
前記両柄部は、前記両鋏片が閉じた状態で各刃体を含む仮想面より上方となるように配置されている請求項１に記載の鋏。
【請求項３】
前記各刃体には、各刃体を補強する補強部が設けられている請求項１又は請求項２に記載の鋏。
【発明の詳細な説明】
【０００１】
【発明の属する技術分野】
本発明は、柄部と刃体を有する一対の鋏片を軸芯により互いに開閉可能に支持した鋏に関するものである。
【０００２】
【従来の技術】
従来、柄部と刃体を有する一対の鋏片を軸芯により互いに開閉可能に支持してなる鋏としては、例えば特許文献１に記載されたものが知られている。
【０００３】
即ち、図５に示すように、前記鋏５１は一対の鋏片５２より構成されている。各鋏片５２は先端側に設けられた刃体５３と、基端側に設けられた柄部５４とを備えている。また、両柄部５４は平面から見て環状に形成され、それぞれの内側に鋏の使用時において指を挿入できる構成となっている。両鋏片５２は、その長手方向の略中間位置で軸芯５５により、互いに開閉可能に支持されている。そして、前記鋏５１を使用する際には両柄部５４の内側に指を挿入し、両鋏片５２を開閉動作させて紙などの被切断物を切断するようになっている。
【０００４】
【特許文献１】
特開平１１−３１９３４７号公報
【０００５】
【発明が解決しようとする課題】
ところが、図６（ａ）に示すように、紙Ｐ１を切断する際には、紙Ｐ１が両刃体５３の刃先５３ａで挟持されることになる。この刃先５３ａは尖った形状をなしており、各刃体５３の刃先５３ａは、紙Ｐ１の表裏両面上に当接することになる。このとき、各刃体５３の刃先５３ａは、紙Ｐ１に対して線接触する。そのため、紙Ｐ１の被切断箇所Ｃ１（紙Ｐ１の表裏両面における各刃体５３の刃先５３ａが当接する部位）が撓む。具体的には、紙Ｐ１が刃先５３ａから図６（ａ）中に矢印Ｆ１で示す押圧力を受ける方向へ撓む。従って、紙Ｐ１を切断する際に、両刃体５３における互いに対向する側の対向面５３ｂと紙Ｐ１とがなす切断角度γを一定に保つのが困難であり、該切断角度γを安定させるのが困難であった。
【０００６】
さらに、両刃体５３は、紙Ｐ１を切断する際に最初に当接する刃先５３ａから遠ざかる程幅広に形成されているので、紙Ｐ１を切断する際には、各刃体５３における前記対向面５３ｂと反対側の面５３ｃと、紙Ｐ１とが角度δをなす。そして、鋏５１は、紙Ｐ１を切断する際に、両刃体５３をその刃先５３ａから押し込む。その際に、各刃体５３の面５３ｃと紙Ｐ１とが角度δをなすので、紙Ｐ１の被切断箇所Ｃ１は前記各刃体５３の面５３ｃにより押し広げられることになる。その結果、図６（ｂ）に示すように、切断後の紙Ｐ１の被切断箇所Ｃ１は、刃先５３ａから図６（ａ）中に矢印Ｆ１で示す押圧力を受ける方向へ曲折してしまう。
【０００７】
また、前述したように、紙Ｐ１を切断する際には、各刃体５３の刃先５３ａが紙Ｐ１に対して線接触する。そのため、紙Ｐ１の被切断箇所Ｃ１には、刃先５３ａから図６（ａ）中に矢印Ｆ１で示す押圧力が集中して加わる。このようなことからも、切断後の紙Ｐ１の被切断箇所Ｃ１が、刃先５３ａから図６（ａ）中に矢印Ｆ１で示す押圧力を受ける方向へ曲折してしまう。
【０００８】
以上のことから、切断後の紙Ｐ１の被切断箇所Ｃ１の表面形状が粗雑なものとなってしまう虞があった。
この発明は、このような従来の技術に存在する問題点に着目してなされたものであり、その目的は、被切断物の切断時に被切断物に対する刃体の切断角度を安定させることができると共に、被切断物における切断後の被切断箇所の表面形状が粗雑となることを抑制することができる鋏を提供することにある。
【０００９】
【課題を解決するための手段】
上記問題点を解決するために、請求項１に記載の発明は、柄部と略板状をなす刃体を有する一対の鋏片を軸芯により互いに開閉可能に支持して構成し、両刃体を摺動させて被切断物を切断する鋏であって、両鋏片が閉じた状態における各刃体を含む仮想面と前記両鋏片を開閉動作させる際の両柄部の動作軌跡を含む仮想面とが交差し、且つ前記両鋏片を開閉動作させる際の両刃体の動作軌跡を含む仮想面と前記両柄部の動作軌跡を含む仮想面とが同一仮想面又は平行となることを要旨とする。
【００１０】
請求項２に記載の発明は、請求項１に記載の鋏において、前記両柄部は、前記両鋏片が閉じた状態で各刃体を含む仮想面より上方となるように配置されていることを要旨とする。なお、請求項２における「上方」は、両鋏片が閉じた状態における各刃体を含む仮想面に対して軸芯が設けられている方向である。
【００１１】
請求項３に記載の発明は、請求項１又は請求項２に記載の鋏において、前記各刃体には、各刃体を補強する補強部が設けられていることを要旨とする。
【００１２】
【発明の実施の形態】
以下、本発明を具体化した一実施形態を図１〜図４に従って説明する。なお、以下の説明において、「先端側」という場合は、各鋏片１２の刃体１３側を先端側とし、「基端側」という場合は、各鋏片１２の柄部１４側を基端側としているものとする。また、以下の説明において、「上方」「下方」という場合は、一対の鋏片１２が閉じた状態を示す図２中で矢印Ｕで示す方向を上方とし、矢印Ｄで示す方向を下方としているものとする。この矢印Ｕで示す方向は、各刃体１３を含む仮想面に対して軸芯１６が設けられている方向である。また、矢印Ｄで示す方向は、各刃体１３を含む仮想面に対して軸芯１６が設けられている方向とは反対の方向である。
【００１３】
図１及び図２に示すように、本実施形態における鋏１１は一対の鋏片１２より構成されている。各鋏片１２は、それぞれの先端側に設けられた金属製（例えば、ステンレス製）の刃体１３と、それぞれの基端側に設けられたＰＥＴ樹脂（ポリエチレンテレフタレート）から成形された柄部１４と、刃体１３と柄部１４とを連結する金属製（例えば、ステンレス製）の連結部１５を備えている。前記刃体１３、柄部１４及び連結部１５の材質については、前述の材質に限定されることはなく適宜変更可能である。そして、前記各鋏片１２は、連結部１５で軸芯１６により、互いに開閉可能に支持されている。
【００１４】
次に、図１〜図３及び図４（ａ）に基づき、一対の鋏片１２の刃体１３、柄部１４及び連結部１５について詳細に説明する。
まず、刃体１３から説明すると、図２に示すように、両刃体１３は、両鋏片１２が閉じた状態で互いに段違いとなるように配置されている。なお、以下の説明において、両刃体１３のうち上方に位置する刃体１３を第１刃体１３Ａと称し、該第１刃体１３Ａを有する鋏片１２を第１鋏片１２Ａと称する。また、この第１鋏片１２Ａが有する柄部１４を第１柄部１４Ａと称し、連結部１５を第１連結部１５Ａと称する。さらに、両刃体１３のうち下方に位置する刃体１３を第２刃体１３Ｂと称し、該第２刃体１３Ｂを有する鋏片１２を第２鋏片１２Ｂと称する。また、この第２鋏片１２Ｂが有する柄部１４を第２柄部１４Ｂと称し、連結部１５を第２連結部１５Ｂと称する。
【００１５】
図１及び図２に示すように、第１刃体１３Ａ及び第２刃体１３Ｂは略板状をなしている。両刃体１３Ａ，１３Ｂを平面視すると、両刃体１３Ａ，１３Ｂは、先端側から基端側へ向かう程幅広となっており、両刃体１３Ａ，１３Ｂの隣合う端面が略同一直線上となるように配置されている（図１参照）。また、第２刃体１３Ｂはその先端側へ向かう程僅かに上方へ湾曲するように形成されている（図２参照）。なお、第２刃体１３Ｂの最も基端側における接線Ｌ１は第１刃体１３Ａを含む仮想面と略平行となっており、この接線Ｌ１と第２刃体１３Ｂの最も先端側における接線Ｌ２とがなす角度Ｋの範囲は、０°＜Ｋ＜９０°の関係を満たす範囲内で適宜変更可能である（図２参照）。また、第１刃体１３Ａと第２刃体１３Ｂの先端部１７同士は、両鋏片１２Ａ，１２Ｂが閉じた状態で重なるように形成されている。具体的には、両刃体１３Ａ，１３Ｂの先端部１７の隣合う端部が上下方向に重なるように形成されている。
【００１６】
図１〜図３及び図４（ａ）に示すように、第１刃体１３Ａ及び第２刃体１３Ｂには、被切断物としての紙Ｐを切断する際に紙Ｐと対向する対向面１９と反対側の面である裏面２０側に、各刃体１３Ａ，１３Ｂを補強する補強部としての凸部２１が設けられている。換言すると、凸部２１は、各刃体１３Ａ，１３Ｂにおける、紙Ｐの切断時に該紙Ｐからの抗力を受ける側（対向面１９）とは反対側の面（裏面２０）に、設けられている。この抗力は、紙Ｐの切断時に各刃体１３Ａ，１３Ｂの対向面１９が紙Ｐを押圧する押圧力と等しい大きさであって、該押圧力と逆向きの力であり、各刃体１３Ａ，１３Ｂをその裏面２０側へ曲折させる方向に加わる力である。また、この凸部２１は、各刃体１３Ａ，１３Ｂの長手方向に延びるように形成されている（図１参照）。前記凸部２１は、各刃体１３Ａ，１３Ｂの前記裏面２０における該裏面２０の周縁より一回り小さい部位が突出するように形成されている。
【００１７】
また、各刃体１３Ａ，１３Ｂの前記対向面１９には、各刃体１３Ａ，１３Ｂの長手方向へ延びるように凹部２２が設けられている（図１参照）。また、各刃体１３Ａ，１３Ｂの対向面１９の内周縁であって且つ凹部２２の外周縁には、紙Ｐを切断する際に紙Ｐを押圧する押圧部２３が設けられている（図１及び図４（ａ）参照）。即ち、各刃体１３Ａ，１３Ｂの凹部２２の周壁が押圧部２３として形成される。そして、鋏１１では、紙Ｐを切断する際に、紙Ｐを両押圧部２３で押圧することにより挟持し、各刃体１３Ａ，１３Ｂの幅方向両端部に位置する押圧部２３のうち各刃体１３Ａ，１３Ｂの隣合う端部側の部分の端部同士が摺動し、紙Ｐが切断される。そのため、前記押圧部２３のうち各刃体１３Ａ，１３Ｂの隣合う端部側の部分は、紙Ｐの切断時における被切断箇所Ｃ（図４（ａ）参照）からその近傍位置までを押圧することになる。
【００１８】
図１及び図２に示すように、前記第１連結部１５Ａ及び第２連結部１５Ｂは、略板状をなし、各刃体１３Ａ，１３Ｂの隣合う基端側端部から略垂直方向に立設している。なお、第１刃体１３Ａ（第２刃体１３Ｂ）と第１連結部１５Ａ（第２連結部１５Ｂ）とは一体形成され、第１連結部１５Ａ（第２連結部１５Ｂ）が第１刃体１３Ａ（第２刃体１３Ｂ）に対して略垂直に屈曲形成されている。この各連結部１５Ａ，１５Ｂは、前記軸芯１６により支持されている部分から基端側が、各刃体１３Ａ，１３Ｂの垂直方向に対して各刃体１３Ａ，１３Ｂが設けられている側とは反対側の方向（図２中で矢印Ｌで示す方向）へ屈曲形成されている。また、第１連結部１５Ａにおける軸芯１６から第１刃体１３Ａまでの長さは、第２連結部１５Ｂにおける軸芯１６から第２刃体１３Ｂまでの長さより短く形成されている。従って、図２に示すように、両鋏片１２Ａ，１２Ｂが閉じた状態で、第２刃体１３Ｂは、第１刃体１３Ａより下方に位置する構成となる。
【００１９】
また、前記第１柄部１４Ａ及び第２柄部１４Ｂはインサート成形法により成形され、インサート成形時に、第１連結部１５Ａは第１柄部１４Ａと、第２連結部１５Ｂは第２柄部１４Ｂと一体形成されることにより強固に連結固定される。また、両柄部１４Ａ，１４Ｂは、前記各連結部１５Ａ，１５Ｂにおける軸芯１６により支持されている部分から基端側が屈曲形成された方向へ延びるように形成されている。従って、図２に示すように、両柄部１４Ａ，１４Ｂは、両鋏片１２Ａ，１２Ｂが閉じた状態で各刃体１３Ａ，１３Ｂを含む仮想面より上方となるように配置されている。また、両柄部１４Ａ，１４Ｂの基端側には環状の指掛け部２４が設けられ、鋏１１の使用時において指を挿入できる構成となっている。両指掛け部２４は、第１刃体１３Ａの幅方向（短手方向）及び第２刃体１３Ｂの幅方向（短手方向）と略平行となる方向に貫通している。
【００２０】
次に、以上のように構成された本実施形態における鋏１１の作用について説明する。
まず、図２に示す両鋏片１２Ａ，１２Ｂが閉じた状態で、両柄部１４Ａ，１４Ｂの指掛け部２４に指を挿入し、両柄部１４Ａ，１４Ｂを開動作させて、両鋏片１２Ａ，１２Ｂを開動作させる。そして、例えば、図３に示す両鋏片１２Ａ，１２Ｂが開いた状態において、第２刃体１３Ｂの先端側の一部は第１刃体１３Ａより上方に位置する。また、両柄部１４Ａ，１４Ｂを開動作させる程、両刃体１３Ａ，１３Ｂの対向面１９がなす角度αは大きくなる。なお、第２刃体１３Ｂが、その先端側へ向かう程僅かに上方へ湾曲するように形成されることで、該第２刃体１３Ｂが上方へ湾曲していない構成とした場合に比べて、前記角度αが大きくなる。
【００２１】
このように両鋏片１２Ａ，１２Ｂが開いた状態で、両柄部１４Ａ，１４Ｂを閉動作させて、両鋏片１２Ａ，１２Ｂを閉動作させる。そして、図２に示す両鋏片１２Ａ，１２Ｂが閉じた状態において、両刃体１３Ａ，１３Ｂは、第１刃体１３Ａが上方に位置し、第２刃体１３Ｂが下方に位置する。また、両刃体１３Ａ，１３Ｂの先端部１７同士は重なる。
【００２２】
本実施形態の鋏１１は、両鋏片１２Ａ，１２Ｂが閉じた状態における第１刃体１３Ａを含む仮想面及び第２刃体１３Ｂを含む仮想面と、両鋏片１２Ａ，１２Ｂを開閉動作させる際の両柄部１４Ａ，１４Ｂの動作軌跡を含む仮想面とが略垂直に交差する。また、両鋏片１２Ａ，１２Ｂを開閉動作させる際の、両刃体１３Ａ，１３Ｂの動作軌跡を含む仮想面と、両柄部１４Ａ，１４Ｂの動作軌跡を含む仮想面とが略同一仮想面となる。また、前記両刃体１３Ａ，１３Ｂの動作軌跡とは、具体的に説明すると、両鋏片１２Ａ，１２Ｂを開閉動作させる際の各刃体１３Ａ，１３Ｂの隣合う端部の動作軌跡を意味する。
【００２３】
以上のように構成された鋏１１の両柄部１４Ａ，１４Ｂを開閉動作させて、両鋏片１２Ａ，１２Ｂを開閉動作させることにより、紙Ｐを切断する。具体的には、両鋏片１２Ａ，１２Ｂを閉動作させる際に、両刃体１３Ａ，１３Ｂが摺動し、紙Ｐが切断される。
【００２４】
次に、両刃体１３Ａ，１３Ｂにより紙Ｐが切断される際の両刃体１３Ａ，１３Ｂの態様について図４に基づき詳細に説明する。
両刃体１３Ａ，１３Ｂにより紙Ｐが切断される際、図４（ａ）に示すように、紙Ｐは両刃体１３Ａ，１３Ｂの対向面１９（押圧部２３）で挟持される。即ち、紙Ｐに対して両刃体１３Ａ，１３Ｂの押圧部２３が当接することになる。そのため、紙Ｐには、押圧部２３から図４（ａ）中に矢印Ｆで示す押圧力が加わる。換言すれば、紙Ｐには、両刃体１３Ａ，１３Ｂの対向面１９から押圧力が加わる。従って、図４（ｂ）に示すように、切断後の紙Ｐの被切断箇所Ｃが、両刃体１３Ａ，１３Ｂから押圧力を受ける方向へ曲折するのを抑制することができる。また、紙Ｐは、両刃体１３Ａ，１３Ｂの対向面１９から押圧されることによって挟持される。そのため、両刃体１３Ａ，１３Ｂにより紙Ｐが切断される際、図４（ａ）に示す紙Ｐに対する各刃体１３Ａ，１３Ｂの切断角度βが変化するのを抑制することができる。そして、各刃体１３Ａ，１３Ｂの幅方向両端部に位置する押圧部２３のうち各刃体１３Ａ，１３Ｂの隣合う端部側の部分の端部同士が摺動し、紙Ｐが切断される。
【００２５】
また、両刃体１３Ａ，１３Ｂは、例えば厚紙などのある程度の強度を有する紙Ｐの切断時に、凸部２１によって裏面２０側へ曲折するのが抑制される。
従って、本実施形態によれば以下のような効果を奏する。
【００２６】
（１）  本実施形態の鋏１１は、両鋏片１２Ａ，１２Ｂが閉じた状態における第１刃体１３Ａを含む仮想面及び第２刃体１３Ｂを含む仮想面と、両鋏片１２Ａ，１２Ｂを開閉動作させる際の両柄部１４Ａ，１４Ｂの動作軌跡を含む仮想面とが略垂直に交差する。そのため、両刃体１３Ａ，１３Ｂにより紙Ｐが切断される際、紙Ｐは両刃体１３Ａ，１３Ｂの対向面１９で挟持される。即ち、従来技術に記載したように、各刃体１３Ａ，１３Ｂはその対向面１９が紙Ｐに対して線接触するのではなく、面接触する。従って、紙Ｐに対する各刃体１３Ａ，１３Ｂの切断角度βが変化するのを抑制することができ、紙Ｐの切断時に紙Ｐに対する各刃体１３Ａ，１３Ｂの切断角度βを安定させることができる。また、従来技術では、両刃体５３における面５３ｃと紙Ｐ１とが角度δをなしていたのに対し、本実施形態の鋏１１では、紙Ｐを切断する際に、各刃体１３Ａ，１３Ｂの対向面１９が紙Ｐと面接触する。そのため、紙Ｐの被切断箇所Ｃが各刃体１３Ａ，１３Ｂにより押し広げられることがない。従って、切断後の紙Ｐの被切断箇所Ｃが、両刃体１３Ａ，１３Ｂから押圧力を受ける方向へ曲折するのを抑制することができる。また、従来技術では、両刃体５３の刃先５３ａが紙Ｐ１と線接触することにより、紙Ｐ１の被切断箇所Ｃ１に押圧力が集中していたが、本実施形態の鋏１１では、各刃体１３Ａ，１３Ｂの対向面１９が紙Ｐと面接触するので、紙Ｐには、両刃体１３Ａ，１３Ｂの対向面１９から押圧力が加わる。そのため、紙Ｐの切断時に、紙Ｐの被切断箇所Ｃに対して両刃体１３Ａ，１３Ｂからの押圧力が集中することがなく、切断後の紙Ｐの被切断箇所Ｃが、両刃体１３Ａ，１３Ｂから押圧力を受ける方向へ曲折するのを抑制することができる。従って、紙Ｐにおける切断後の被切断箇所Ｃの表面形状が粗雑なものとなることを抑制することができる。
【００２７】
（２）  両鋏片１２Ａ，１２Ｂを開閉動作させる際の、両刃体１３Ａ，１３Ｂの動作軌跡を含む仮想面と、両柄部１４Ａ，１４Ｂの動作軌跡を含む仮想面とが略同一仮想面となる。従って、鋏１１を使用する使用者が紙Ｐを切断する際に、両柄部１４Ａ，１４Ｂと、両刃体１３Ａ，１３Ｂにより紙Ｐが切断される位置とを同一直線上に位置合わせし易く、紙Ｐを真っ直ぐ切断し易くなる。
【００２８】
（３）  両柄部１４Ａ，１４Ｂは、両鋏片１２Ａ，１２Ｂが閉じた状態で各刃体１３Ａ，１３Ｂを含む仮想面より上方となるように配置されている。そのため、紙Ｐを切断する際に、切断された紙Ｐが両柄部１４Ａ，１４Ｂに接触したり、鋏１１の使用者の手に接触したりするのを抑制することができる。従って、紙Ｐの切断時において、紙Ｐがズレることを抑制することができる。また、両刃体１３Ａ，１３Ｂと両柄部１４Ａ，１４Ｂが、使用者の同一視線上に入る。従って、使用者は、その手元及び被切断箇所Ｃに同時に注意を払うことができる。
【００２９】
（４）  第１刃体１３Ａ及び第２刃体１３Ｂには、凸部２１が設けられている。そのため、両刃体１３Ａ，１３Ｂの強度が増す。従って、紙Ｐが厚紙などのある程度の強度を有するものである場合、紙Ｐの切断時に受ける抗力により、各刃体１３Ａ，１３Ｂが曲折するのを抑制することができる。
【００３０】
（５）  凸部２１は、各刃体１３Ａ，１３Ｂの裏面２０側に設けられている。従って、凸部２１は、紙Ｐの切断時に各刃体１３Ａ，１３Ｂをその裏面２０側へ曲折する方向に加わる抗力に対して、各刃体１３Ａ，１３Ｂを補強する機能を効果的に発揮することができる。また、紙Ｐの切断時、裏面２０は紙Ｐに接触することがない位置であるので、切断時に邪魔にならない。
【００３１】
（６）  凸部２１は、各刃体１３Ａ，１３Ｂの長手方向に延びるように形成されている。従って、各刃体１３Ａ，１３Ｂの全体に渡って強度を増大させることができる。
【００３２】
（７）  両刃体１３は、両鋏片１２が閉じた状態で互いに段違いとなるように配置され、第２刃体１３Ｂはその先端側へ向かう程僅かに上方へ湾曲するように形成されている。そのため、第２刃体１３Ｂが上方へ湾曲していない構成とした場合に比べて、両柄部１４Ａ，１４Ｂを同様に開動作させた際に、両刃体１３Ａ，１３Ｂの対向面１９がなす角度αを増大させることができる。この角度αが大きい程、紙Ｐに対する切断力が増大する。従って、簡単な構成で紙Ｐに対する切断力を増大させることができる。さらに、両鋏片１２が閉じた状態で互いに段違いとなるように配置することにより、上方へ湾曲した第２刃体１３Ｂが第１刃体１３Ａの上方へ突出するのを抑制することができる。
【００３３】
（８）  第１刃体１３Ａと第２刃体１３Ｂの先端部１７同士は、第１鋏片１２Ａと第２鋏片１２Ｂとが閉じた状態で重なるように形成されている。従って、安全性の面において優れている。
【００３４】
（９）  各刃体１３Ａ，１３Ｂの幅方向両端部に位置する押圧部２３のうち各刃体１３Ａ，１３Ｂの隣合う端部側の部分は、紙Ｐの切断時における被切断箇所Ｃからその近傍位置までを押圧する。そのため、両刃体１３Ａ，１３Ｂにより紙Ｐが切断される際、紙Ｐにおける被切断箇所Ｃからその近傍位置までが押圧部２３に当接することになる。従って、紙Ｐに対する各刃体１３Ａ，１３Ｂの切断角度βが変化するのを効果的に抑制することができる。また、紙Ｐの被切断箇所Ｃに対して両刃体１３Ａ，１３Ｂからの押圧力が集中するのを効果的に抑制することができる。さらに、紙Ｐに対する各刃体１３Ａ，１３Ｂからの押圧力が分散することを抑制することができる。
【００３５】
なお、前記実施形態は以下のような別の実施形態（別例）に変更して具体化してもよい。
・  前記実施形態における紙Ｐの厚さはどのような厚さであっても良い。また、前記実施形態では、被切断物として紙Ｐを用いて説明したが、被切断物は紙に限定されない。
【００３６】
・  前記実施形態では、押圧部２３が各刃体１３Ａ，１３Ｂの対向面１９であって且つ凹部２２の外周縁に設けられていたが、該押圧部２３は、少なくとも紙Ｐにおける被切断箇所Ｃからその近傍位置までを押圧するように設けられていればよい。例えば、前記実施形態における各刃体１３Ａ，１３Ｂの幅方向両端部に位置する押圧部２３のうち各刃体１３Ａ，１３Ｂの隣合う端部側の部分以外を省略しても良い。このような構成としても、前記実施形態と同様の効果を奏する。
【００３７】
・  前記実施形態では、凸部２１が各刃体１３Ａ，１３Ｂの裏面２０側に設けられていたが、凸部２１を設ける位置は裏面２０側に限定されない。例えば、凸部２１を各刃体１３Ａ，１３Ｂの対向面１９側に設けても良い。この凸部２１が、さらに、押圧部２３の働きをするように構成しても良い。さらに、凸部２１と押圧部２３とが兼用構成となっていても良い。この場合、凸部２１及び押圧部２３が補強部として機能する。このような構成によれば、凸部２１と押圧部２３を別々に設ける必要がないため、各刃体１３Ａ，１３Ｂの対向面１９を簡単な構成とすることができる。
【００３８】
・  前記実施形態では、凸部２１が各刃体１３Ａ，１３Ｂの長手方向に延びるように形成されていたが、各刃体１３Ａ，１３Ｂを補強する機能を有していれば凸部２１をどのように形成しても良い。例えば、凸部２１を各刃体１３Ａ，１３Ｂの長手方向に点在させて形成しても良い。また、凸部２１を各刃体１３Ａ，１３Ｂの長手方向の略中間位置のみに形成しても良い。
【００３９】
・  前記実施形態における凸部２１を省略しても良い。
・  前記実施形態における各刃体１３Ａ，１３Ｂの対向面１９の凹部２２を省略しても良い。この場合には、対向面１９が、紙Ｐの切断時に紙Ｐを押圧する押圧部として機能する。
【００４０】
・  前記実施形態では、両鋏片１２Ａ，１２Ｂが閉じた状態で、両刃体１３Ａ，１３Ｂの先端部１７の隣合う端部が上下方向に重なるように形成されていたが、両刃体１３Ａ，１３Ｂの隣合う端部全体が上下方向に重なるように形成されていても良い。このような構成としても、前記実施形態と同様の効果を奏する。また、各刃体１３Ａ，１３Ｂの先端部１７同士が、両鋏片１２Ａ，１２Ｂが閉じた状態で重ならないように形成されていても良い。
【００４１】
・  前記実施形態における両刃体１３Ａ，１３Ｂは、両鋏片１２Ａ，１２Ｂが閉じた状態で互いに段違いとなるように配置されていたが、第１刃体１３Ａと第２刃体１３Ｂが同一仮想面内に配置されていても良い。
【００４２】
・  前記実施形態における第２刃体１３Ｂはその先端側へ向かう程僅かに上方へ湾曲するように形成されていたが、上方へ湾曲しないように形成しても良い。・  前記実施形態における両柄部１４Ａ，１４Ｂは、両鋏片１２Ａ，１２Ｂが閉じた状態で各刃体１３Ａ，１３Ｂを含む仮想面より上方となるように配置されていたが、該仮想面に対してどのような位置関係で配置されていても良い。例えば、第１柄部１４Ａのみが第１刃体１３Ａを含む仮想面より上方となるように配置されていても良い。
【００４３】
・  前記実施形態において、両鋏片１２Ａ，１２Ｂが閉じた状態における各刃体１３Ａ，１３Ｂを含む仮想面と、両鋏片１２Ａ，１２Ｂを開閉動作させる際の両柄部１４Ａ，１４Ｂの動作軌跡を含む仮想面とは、略垂直に交差していなくても良い。即ち、各刃体１３Ａ，１３Ｂを含む仮想面と、両柄部１４Ａ，１４Ｂの動作軌跡を含む仮想面とは交差するように構成されていれば良い。このような構成としても、前記実施形態と同様の効果を奏する。
【００４４】
・  前記実施形態において、両鋏片１２Ａ，１２Ｂを開閉動作させる際の、両刃体１３Ａ，１３Ｂの動作軌跡を含む仮想面と、両柄部１４Ａ，１４Ｂの動作軌跡を含む仮想面とが平行となっていても良い。このような構成とした場合、前記実施形態の（１），（３）〜（９）の効果を奏する。
【００４５】
・  前記実施形態における鋏１１の使用方法は前記実施形態の使用方法に限定されない。例えば、図３は、使用者が、紙Ｐの表面側（上方）に軸芯１６が位置するように鋏１１を使用した場合を示しているが、使用者が紙Ｐの裏面側（下方）に軸芯１６が位置するように鋏１１を使用しても良い。この場合、使用者が紙Ｐの表面側から両刃体１３Ａ，１３Ｂにより紙Ｐが切断される状況を見たときに、該状況を両柄部１４Ａ，１４Ｂ越しに見る必要がないことから、紙Ｐの切断状況を確認し易くなる。
【００４６】
次に、上記実施形態及び別例から把握できる技術的思想について、以下に追記する。
・  前記両刃体は、前記両鋏片が閉じた状態で互いに段違いとなるように配置されており、両刃体のうち下方に位置する刃体はその先端側へ向かう程上方へ湾曲する。
【００４７】
・  前記各刃体における少なくとも先端部同士は、前記両鋏片が閉じた状態で重なる。
・  前記補強部は、前記各刃体の長手方向に延びるように形成されている。
【００４８】
・  前記両刃体には、前記被切断物の切断時に該被切断物からの抗力を受ける側とは反対側の面に、前記補強部が設けられている。
・  前記両刃体には、前記被切断物の切断時に該被切断物からの抗力を受ける側の面に少なくとも被切断物における被切断箇所からその近傍位置までを押圧する押圧部が設けられている。
【００４９】
【発明の効果】
本願発明によれば、被切断物の切断時に被切断物に対する刃体の切断角度を安定させることができると共に、被切断物における切断後の被切断箇所の表面形状が粗雑となることを抑制することができる。
【図面の簡単な説明】
【図１】本実施形態における鋏の両鋏片が閉じた状態を示す斜視図。
【図２】同じく、鋏の両鋏片が閉じた状態を示す側面図。
【図３】同じく、鋏の両鋏片が開いた状態を示す側面図。
【図４】同じく、（ａ）は、図３のＡ−Ａ線断面の矢視図、（ｂ）は、両刃体により切断された切断後の紙を示す側面図。
【図５】従来の鋏の両鋏片が閉じた状態を示す斜視図。
【図６】同じく、（ａ）は、鋏の両刃体により紙が切断される状態を示す断面図、（ｂ）は、両刃体により切断された切断後の紙を示す側面図。
【符号の説明】
Ｐ…被切断物としての紙、１１…鋏、１２，１２Ａ，１２Ｂ…鋏片、１３，１３Ａ，１３Ｂ…刃体、１４，１４Ａ，１４Ｂ…柄部、１６…軸芯、２１…補強部としての凸部。
【図１】
2004313331.tif 000003
【図２】
2004313331.tif 000004
【図３】
2004313331.tif 000005
【図４】
2004313331.tif 000006
【図５】
2004313331.tif 000007
【図６】
2004313331.tif 000008